【手続補正書】
【提出日】平成16年8月2日(2004.8.2)
【手続補正１】
【補正対象書類名】明細書
【補正対象項目名】発明の名称
【補正方法】変更
【補正の内容】
【発明の名称】衛生洗浄装置
【手続補正２】
【補正対象書類名】明細書
【補正対象項目名】特許請求の範囲
【補正方法】変更
【補正の内容】
【特許請求の範囲】
【請求項１】
使用者による進退動及び回動が自在な操作部と、流入路と流出路を有する弁室と、前記操作部により回転方向に駆動されるロッドと、前記ロッドと連動し前記弁室内部を摺動して流量を調整する第一の弁体と、前記操作部により進退方向に駆動されるスピンドルと、該スピンドルに連動して前記弁室内の流路の開閉を制御する第二の弁体とを有する流量制御装置を便器本体に装着される機器収納本体内に設けてなり、前記操作部の進退動により第二の弁体を動作させて給水を開始し、回動により第一の弁体を動作させて流量調整することを特徴とする衛生洗浄装置。
【請求項２】
前記流量制御装置は、さらに、前記弁室内に設けた受圧体と、前記受圧体で１次側と微小に連通しながら仕切られた背圧室と、前記受圧体と連動する主弁と、前記受圧体の背圧室と前記流出路とを連通する連通路と、を有することを特徴とする請求項１記載の衛生洗浄装置。
【手続補正３】
【補正対象書類名】明細書
【補正対象項目名】０００９
【補正方法】変更
【補正の内容】
【０００９】
【課題を解決するための手段およびその作用・効果】
本発明の衛生洗浄装置は、使用者による進退動及び回動が自在な操作部と、流入路と流出路を有する弁室と、前記操作部により回転方向に駆動されるロッドと、前記ロッドと連動し前記弁室内部を摺動して流量を調整する第一の弁体と、前記操作部により進退方向に駆動されるスピンドルと、該スピンドルに連動して前記弁室内の流路の開閉を制御する第二の弁体とを有する流量制御装置を便器本体に装着される機器収納本体内に設けてなり、前記操作部の進退動により第二の弁体を動作させて給水を開始し、回動により第一の弁体を動作させて流量調整する。すなわち、操作部を進退動することにより、第二の弁体が開き、第一の弁体へ流れが生じる。次に、操作部を回動すると、第一の弁体が回転し、流量が増大する。つまり操作部の回動位置により、第一の弁体の位置が共に変化し、流路への開口面積が変わり流量を調節するものである。これにより、ワンタッチで所定量の給水を開始させることができ、また同一の操作部による操作で流量調整ができる。
【手続補正４】
【補正対象書類名】明細書
【補正対象項目名】００１９
【補正方法】変更
【補正の内容】
【００１９】
このノズル装置４は洗浄水バルブ体１７及び着座検知機構１０と接続されており、洗浄水バルブ体１７はノズル装置４への給水及びその際の流量調整及びノズルの位置切り替えを行い、以下の構成を備える。洗浄水バルブ体１７は、その概略断面図である図４に示すように、機器収納本体３に固定されるベース２８を有し、その図中左側のインレットパイプ２９から給水を受ける。こうして給水された水は、インレットパイプ２９内の流路２９ａを通ってその下流の逆止弁３０に至り、更にその下流の調圧弁３１における調圧駒３１ａで調圧されてから、バルブ本体３２の流入室３２ａに流れ込む。このバルブ本体３２には、流入室３２ａに直向して弁室３２ｂが形成されており、弁室３２ｂに対向して主弁３３が設けられる。主弁３３はダイヤフラムにより形成され、流入室３２ａと主弁３３の背圧室３３ｂとはブリード孔３３ａを介して連通している。また背圧室３３ｂと弁室３２ｂとは、パイロット流路３４及びパイロット弁３５を介して連通している。なお、弁室３２ｂには流量調整及び流路切替用の弁体３６が組み込まれている。
【手続補正５】
【補正対象書類名】明細書
【補正対象項目名】００２２
【補正方法】変更
【補正の内容】
【００２２】
そして、図７に示すように、摺動溝４０はほぼハート形の凸部４４を包囲するようにして、該凸部４４の突端４４ａ、４４ｂ、４４ｃの部分で連結された右側溝４０ａ、左側溝４０ｂ、Ｖ字溝４０ｃの三者によりほぼハート形に構成され、且つ右側溝４０ａと左側溝４０ｂの連結部底部（イ）はその上方突端４４ａの左寄りに位置し、左側溝４０ｂとＶ字溝４０ｃの連結部（ロ）前後の上部壁面は湾曲状に形成され、その頂部（ハ）は連結部（ロ）の下方突端４４ｂの右寄りに位置し、Ｖ字溝４０ｃの底部（ニ）はその下方に折曲部突端３９ａの右に位置し、Ｖ字溝４０ｃと右側溝４０ａの連結部頂部（ホ）はその下方突端４４ｃの右寄りに位置するように構成されている。なお、この実施例では、連結部頂部（イ）と連結部底部（ホ）とは切り込み溝に形成されているが、該両部（イ）、（ホ）をこのように切り込み溝にすることを必須とするものではない。
【手続補正６】
【補正対象書類名】明細書
【補正対象項目名】００２３
【補正方法】変更
【補正の内容】
【００２３】
次に、上記のように構成された弁操作ユニット３８及び洗浄水バルブ体１７の動作について説明すると、第１の押動操作が行われた時には、初めにＶ字溝４０ｃの頂部（ニ）においてピン４３に係合停止していた摺動溝４０は、上記第１の押動操作によりそのＶ字溝４０ｃの右側部、連結部底部（ホ）、右側溝４０ａが順次ピン４３に沿ってスライドし、その連結部頂部（イ）がピン４３に係合したところでスライドを停止する。即ち、Ｖ字溝４０ｃの頂部（ニ）はその上方にある折曲部突端３９ａの右寄りに位置しているため、第１の押動操作によってスピンドル４１が上昇を始めた時には摺動溝４０はＶ字溝４０ｃの右側部が直ちにピン４３に沿うようになって連結部底部（ホ）に至り、第１の押圧による摺動溝４０のスライド作用はここまでで終わる。しかしスピンドル４１はスプリング４６によって上方に付勢されているため、操作ボリューム４９の押圧を停止するとスピンドル４１が上昇するから、摺動溝４０はこれによって上向きに摺動するようになる。ところがこの時、連結部底部（ホ）はその下方突端４４ｃの右寄りに位置するから、摺動溝４０はその右側溝４０ａの上端が直ちにピン４３に沿うようになり連結部頂部（イ）に至るのである。この機構は一般にハートカム機構といわれるものである。
この時、スピンドル４１はスプリング４６の付勢力によって押し上げられるため、スプリング４７の作用で摺動杆４５及び支持ロッド３５ａが押し上げられる。それに伴ってパイロット弁３５が押し上げられ、ブリード孔３３ａ→背圧室３３ｂ→パイロット流路３４→連通流路（弁体３６の周面に開口）→弁室３２ｂ→洗浄用流路１８の経路を通って水の流れが生じることにより、主弁の背圧室３３ｂの圧力が低下し、主弁が開放する。従って、流入室３６ａから弁室３２ｂへの直接の流れが発生し、着座検知機構１０、熱交換器２１、混合器２２を介してノズル装置４へ給水がなされる。ノズル装置４へ給水がなされると、前述したように洗浄用ノズル４ｂの吐水口４ｈから洗浄水が放出され、人体の局部に向けて放水が開始される。この状態で、操作ボリューム４９を徐々に右側に回転すると、回転力伝達ロッド３９ａにより弁体３６が回転し、洗浄用ノズル４ｂからの放出量を増やすことができる。なお、操作ボリューム４９を右側に回転すると、位置調節用シリンダ内にも水が供給されるため、洗浄用ノズル４ｂの吐出位置を前方へ移動し、ビデ洗浄に切り替わる。
【手続補正７】
【補正対象書類名】明細書
【補正対象項目名】００２４
【補正方法】変更
【補正の内容】
【００２４】
次に、第２の押動操作が行われる時には、連結頂部（イ）においてピン４３に係合していた摺動溝４０は、上記第２の押動操作によりその左側溝４０ｂ、連結部（ロ）、底部（ハ）が順次ピン４３に沿ってスライドし、その頂部（ニ）がピン４３と係合したところでスライドを停止する。即ち、前述したように連結部頂部（イ）はその上方突端４４ａの左寄りに位置しているため、第１の押動操作によってスピンドル４１が下降を始めたときには摺動溝４０はその左側溝４０ｂの下降が直ちにピン４３に沿うようになり連結部（ロ）に至るが、該連結部（ロ）前後の下部壁面が湾曲状に形成されているため、次に該湾曲状壁面がピン４３に沿ってスライドしその底部（ハ）に至る。第１の押動操作による摺動溝４０のスライド作用はここまでで終わるが、スピンドル４１はスプリング４６によって上方に付勢されているため、操作ボリューム４９の押圧を停止するとスピンドル４１が上記付勢作用によって上昇するから、次には摺動溝４０のＶ字溝４０ｃの左側上部壁面がピン４３に沿うようになり、頂部（ニ）がピン４３と係合するようになる。そしてこのようにＶ字溝４０ｃの頂部（ニ）がピン４３と係合すれば、摺動溝４０は前記付勢作用によっても以降左右にスライドすることがないため、摺動溝４０はこの位置（ニ）においてピン４３により安定的に係止され、従って前記付勢作用に伴うスピンドル４１の下降が止まる。
【手続補正８】
【補正対象書類名】明細書
【補正対象項目名】００２５
【補正方法】変更
【補正の内容】
【００２５】
この時、スピンドル４１はスプリング４６の付勢力に抗して押し下げられるため、スプリング４７に抗して摺動杆４５及び支持ロッド３５ａが押し下げられる。それに伴ってパイロット弁３５が押し下げられ、ブリード孔３３ａ→背圧室３３ｂ→パイロット流路３４→連通流路（弁体３６の周面に開口）→弁室３２ｂ→洗浄用流路１８の経路の水の流れが絶たれることにより、ブリード孔３３ａから主弁の背圧室３３ｂへ給水が行われ、徐々に背圧室３３ｂの圧力が上昇し、主弁が閉塞する。従って、ノズル装置４へ給水は絶たれ、前述したように洗浄用ノズル４ｂの吐水口４ｈからの洗浄水放出は停止され、洗浄用ノズル４ｂは初期位置へと戻る。（図５）
図８には、本発明の流量制御装置の第１の実施例の変形例を示す。なお、共通の機能を有するものに同一の符号を付すにとどめ、説明は省略する。先の実施例との相違はパイロット流路をダイヤフラムバルブを介さずに設けた点であり、そのため、回転力伝達ロッド３９とスピンドル４１とは異軸となる。